(57)【特許請求の範囲】
【請求項１】
ロータを互いに独立した前ロータと後ロータに分割し、
前ロータ及び前ロータが収容された固定本体の前方部分をコード可変型シリンダー錠構成とし、後ロータ及び後ロータが収容された固定本体の後方部分をコード不変型シリンダー錠構成とし、後ロータから前ロータへの回転モーメントの伝達を遮断し、後ロータに止め金板などの外部機構への出力部材を連結したコード可変型シリンダー錠装置。
【請求項２】
コード可変型シリンダー錠構成とした前方領域において、
コードチェンジ操作時の前ロータの回転角度βを通常の施解錠操作時の前ロータの回転角度αよりも大きく設定し、通常の施解錠操作時にピンが移動するロック用ピン受孔と、コードチェンジ操作時にピンが移動するコードチェンジ用ピン受孔とを、前記回転角度βだけ離して固定本体の前方部分に形成し、通常の施解錠操作時およびコードチェンジ操作時にピンが移動する共用ピン受孔を前ロータに形成し、ロック用ピン受孔とコードチェンジ用ピン受孔に挿入したバネによってピンを前ロータに向かって移動付勢し、共用ピン受孔の内端部が開口したキー孔を前ロータに形成し、
コード不変型シリンダー錠構成とした後方領域において、通常の施解錠操作時における後ロータの回転角度を前ロータの回転角度と同じに設定し、通常の施解錠操作時にピンが移動するロック用ピン受孔を固定本体の後方部分に形成し、通常の施解錠操作時にピンが移動するピン受孔を後ロータに形成し、ロック用ピン受孔に挿入したバネによってピンを後ロータに向かって移動付勢し、ピン受孔の内端部が開口したキー孔を後ロータに形成し、
前ロータのキー孔のみに挿入したチェンジキーによって前ロータを単独に回転操作する一方、前ロータのキー孔と後ロータのキー孔に一連に挿入した子キーによって前ロータと後ロータを同時に回転操作するようにしたことを特徴とする請求項１に記載のコード可変型シリンダー錠装置。
【発明の詳細な説明】
【０００１】
【発明の属する技術分野】
本発明は、各種建物や部屋あるいは機器、乗り物等の開閉や運転制御等に使用されるシリンダー錠装置に関するものである。
【０００２】
【従来の技術】
キーを紛失したり、盗まれたときには、あるいは使用者が変更した場合には、シリンダー錠装置全体を交換することが最も安全であるが、買い替えコストと交換作業の手間の両面で負担が大きいため、シリンダー錠装置全体を交換する代わりに、錠装置内部のロックピンの組み合わせを変更して、従前とは別のキーコードを設定し直すようにしたコード可変型シリンダー錠装置が一般に使用されている。
【０００３】
しかしながら、従来のコード可変型シリンダー錠装置では、構造が複雑で多くの構成部品を準備する必要があるとともに、通常の施解錠に使用するキーのほかにコード変換用キーを特別に準備する必要があり、コストが割高になる傾向にあった。
【０００４】
また、従来のコード可変型シリンダー錠装置では、ロータの後部に止め金板や外部機構への出力部材が連結されており、これを経由してロータに回転負荷が加えられている状態でコードチェンジを行なうとき、ロータがコードチェンジ完了前にずれ回転することによって、予期しないコードに設定されてしまう誤チェンジの問題を発生することがあった。
【０００５】
さらにまた、従来のコード可変型シリンダー錠装置においては、コードチェンジ操作時におけるロータの回転角度と通常の施解錠操作時におけるロータの回転角度とが同じ角度であるため、誤信や過誤操作によって意図しない別のコードに設定されてしまうという誤チェンジの問題や操作不具合を発生することがあった。
【０００６】
【発明が解決しようとする課題】
したがって本発明の課題は、コードチェンジを安定した状態で行なえ、意図したコードに正確に設定することができ、操作不具合の問題も発生しないコード可変型シリンダー錠装置を提供することである。
【０００７】
【課題を解決するための手段】
以下、添付図面中の参照符号を用いて説明すると、前記課題を解決するために請求項１の発明では、ロータ２を互いに独立した前ロータ２Ａと後ロータ２Ｂに分割し、前ロータ２Ａ及び前ロータ２Ａが収容された固定本体１の前方部分１Ａをコード可変型シリンダー錠構成とし、後ロータ２Ｂ及び後ロータ２Ｂが収容された固定本体１の後方部分１Ｂをコード不変型シリンダー錠構成とし、後ロータ２Ｂから前ロータ２Ａへの回転モーメントの伝達を遮断し、後ロータ２Ｂに止め金板などの外部機構への出力部材３を連結する。
【０００８】
なお、請求項１の発明では、コード可変型シリンダー錠構成とした前方領域において、コードチェンジ操作時のロータ２の回転角度と通常の施解錠操作時のロータ２の回転角度は特に限定されず、両者を同じ角度に設定することもできる。
【０００９】
請求項２の発明では、請求項１の発明の前記構成に加えて、コード可変型シリンダー錠構成とした前方領域において、コードチェンジ操作時の前ロータ２Ａの回転角度βを通常の施解錠操作時の前ロータ２Ａの回転角度αよりも大きく設定し、通常の施解錠操作時にピンが移動するロック用ピン受孔４Ａと、コードチェンジ操作時にピンが移動するコードチェンジ用ピン受孔５を、前記回転角度βだけ離して固定本体１の前方部分１Ａに形成し、通常の施解錠操作時およびコードチェンジ操作時にピンが移動する共用ピン受孔６Ａを前ロータ２Ａに形成し、ロック用ピン受孔４Ａとコードチェンジ用ピン受孔５に挿入したバネ７Ａによってピンを前ロータ２Ａに向かって移動付勢し、共用ピン受孔６Ａの内端部が開口したキー孔８Ａを前ロータ２Ａに形成する。
【００１０】
そして、コード不変型シリンダー錠構成とした後方領域において、通常の施解錠操作時における後ロータ２Ｂの回転角度を前ロータ２Ａの回転角度と同じに設定し、通常の施解錠操作時にピンが移動するロック用ピン受孔４Ｂを固定本体１の後方部分１Ｂに形成し、通常の施解錠操作時にピンが移動するピン受孔６Ｂを後ロータ２Ｂに形成し、ロック用ピン受孔４Ｂに挿入したバネ７Ｂによってピンを後ロータ２Ｂに向かって移動付勢し、ピン受孔６Ｂの内端部が開口したキー孔８Ｂを後ロータ２Ｂに形成する。
前ロータ２Ａのキー孔８Ａのみに挿入したチェンジキー９によって前ロータ２Ａを単独に回転操作する一方、前ロータ２Ａのキー孔８Ａと後ロータ２Ｂのキー孔８Ｂに一連に挿入した子キー１０によって前ロータ２Ａと後ロータ２Ｂを同時に回転操作する。
【００１１】
【発明の作用】
請求項１の発明では、止め金板などの出力部材３はコード不変型シリンダー錠構成とした後方領域の後ロータ２Ｂに連結してあり、コード可変シリンダー錠構成とした前方領域の前ロータ２Ａと後ロータ２Ｂとは遮断されているから、コードチェンジ操作の完了前に前ロータ２Ａが偶発的に回転することがない。
【００１２】
請求項２の発明では、請求項１の発明の前記作用に加えて、コード可変型シリンダー錠構成とした前方領域において、コードチェンジ操作時のロータ２の回転角度βを通常の施解錠操作時のロータ２の回転角度αよりも大きく設定し、通常の施解錠操作時にピンが移動するロック用ピン受孔４Ａと、コードチェンジ操作時にピンが移動するコードチェンジ用ピン受孔５を、前記回転角度βだけ離して固定本体１の前方部分１Ａに形成してあるため、通常の施解錠操作とコードチェンジ操作はそれぞれ明確に区別される。
【００１３】
【発明の実施の形態】
図示の実施例では、コード可変型シリンダー錠構成とした前方領域において、コードチェンジ操作時における前ロータ２Ａの回転角度βは１８０度であり、通常の施解錠操作時における前ロータ２Ａの回転角度αは９０度である。
コードチェンジ操作は前方領域のみにおいてなされ、コード不変型シリンダー錠構成とした後方領域でなされる通常の施解錠操作時の後ロータ２Ｂの回転角度αは９０度である。
【００１４】
図３に示したように前方領域において、固定本体１のロック用ピン受孔４Ａは１３５度の間隔を置いて２個形成され、コードチェンジ用ピン受孔５も１３５度間隔で２個形成されている。これら２組のロック用ピン受孔４Ａとコードチェンジ用ピン受孔５は、前ロータ２Ａの異なる直径上に整列しており、至近にあるロック用ピン受孔４Ａとコードチェンジ用ピン受孔５の間には、４５度の間隔が置かれている。前ロータ２Ａの共用ピン受孔６Ａは１３５度の間隔を置いて２個形成されており、キー孔８Ａは一方の供用ピン受孔６Ａから１３５度、他方の供用ピン受孔６Ａから９０度の位置に形成されている。このコード可変型シリンダー錠構成におけるロック用ピンは、ドライバーピン１１Ａとチェンジピン１２とコードピン１３Ａである。
【００１５】
図４に示したように後方領域において、固定本体１のロック用ピン受孔４Ｂは１３５度の間隔を置いて２個形成されている。後ロータ２Ｂのピン受孔６Ｂも１３５度の間隔を置いて２個形成されており、キー孔８Ｂは一方のピン受孔６Ｂから１３５度、他方のピン受孔６Ｂから９０度の位置に形成されている。このコード不変型シリンダー錠構成におけるロック用ピンは、ドライバーピン１１Ｂとコードピン１３Ｂである。
【００１６】
前ロータ２Ａの後部に形成された環状受溝１４と、固定本体１の前方部分１Ａの内面に形成された環状受溝１５には、両者にまたがって抜け止め具１６が係合しており、前ロータ２Ａの前部外周の張り出し鍔部１７は、固定本体１の前方部分１Ａの環状肩部１８に当接している。これらのために前ロータ２Ａは固定本体１の前方部分１Ａからの抜脱を阻止されている。
【００１７】
後ロータ２Ｂの中間部に形成された環状受溝１９に嵌められた抜け止め具２０は、固定本体１の後方部分１Ｂの後端面に当接している。後ロータ２Ｂの中間部外周の肩部２１は、固定本体１の後方部分１Ｂの環状鍔部２２に当接している。これらのために後ロータ２Ｂは固定本体１の後方部分１Ｂからの抜脱を阻止されている。
【００１８】
後ロータ２Ｂの角軸部２３には回転角度規制板２４と止め金板３が相対回転不能に嵌められており、ねじ軸部２６に嵌めたナット２７によって後ロータ２Ｂに取り付けられている。回転角度規制板２４の外周の一部は切り欠きされており、固定本体１の後方部分１Ｂの後端面の規制突起２８と係合することによって、通常の施解錠操作時における前ロータ２Ａと後ロータ２Ｂの回転角度を９０度に規制している。
【００１９】
前ロータ２Ａの後端面に形成した扇形突起部３１と後ロータ２Ｂの前端面に形成した扇形突起部３２は、側端面が３１ａ，３２ａが互いに当接することによって、コードチェンジ操作時における前ロータ２Ａの回転角度１８０度に規制している。
止め金板などの出力部材３から後ロータ２Ｂに回転負荷が働いても、前記側端面３１ａ，３２ａには開き角度１８０度の遊びがあるため、後ロータ２Ｂから前ロータ２Ａへコードチェンジ操作に悪影響を及ぼすような回転モーメントが伝達することはない。
【００２０】
前方領域のコード可変型シリンダ錠構成におけるドライバーピン１１Ａとチェンジピン１２とコードピン１３Ａの付勢用バネ７Ａ、そして後方領域のコード不変型シリンダ錠構成におけるドライバーピン１１Ｂとコードピン１３Ｂの付勢用バネ７Ｂは、いずれも圧縮コイルバネで構成されている。バネ受板２９は、固定本体１の前方部分１Ａと後方部分１Ｂの外周部に一連に形成した軸方向の受溝３０に挿入固定されている。
【００２１】
コードチェンジ操作に使用されるチェンジキー９は、前ロータ２Ａのキー孔８Ａのみに挿入される長さを有し、一方のエッジ部に１３５度の間隔を置いて２列のキーコード用凹部９ａが切削加工されている。この切削加工は深さに応じて１番から３番まで設定されている。キーコード用凹部９ａには、コードピン１３Ａの内端部が係脱する。
【００２２】
通常の施解錠操作に使用される子キー１０は、前ロータ２Ａのキー孔８Ａと後ロータ２Ｂのキー孔８Ｂの両者に挿入される長さを有し、一方のエッジ部に１３５度の間隔を置いて前方部分に２列のキーコード用凹部１０ａが切削加工され、後方部分に２列のキーコード用凹部１０ｂが切削加工されている。これらの切削加工も深さに応じて１番から３番まで設定されている。キーコード用凹部１０ａにはコードピン１３Ａの内端部が係脱し、キーコード用凹部１０ｂにはコードピン１３Ｂの内端部が係脱する。
【００２３】
図１１の上段の▲１▼の断面図は、キー加工１番の子キー１０を使用できるようにコード設定されたシリンダー錠装置において、前ロータ２Ａが施錠位置にあるときの横断面図である。図１２の▲１▼の断面図は、同じくキー加工１番の子キー１０を使用できるようにコード設定された後ロータが施錠位置にあるときの横断面図である。
【００２４】
この施錠位置では、バネ７Ａに押されたドライバーピン１１Ａが固定本体１の前方部分１Ａのロック用ピン受孔４Ａと前ロータ２Ａの共用ピン受孔６Ａにまたがって係合しているため、前ロータ２Ａは固定本体１の前方部分１Ａに対して回転不能に拘束されている。また、バネ７Ｂに押されたドライバーピン１１Ｂが固定本体１の後方部分１Ｂのロック用ピン受孔４Ｂと後ロータ２Ｂのピン受孔６Ｂにまたがって係合しているため、後ロータ２Ｂは固定本体１の後方部分１Ｂに対して回転不能に拘束されている。後ロータ２Ｂに連結されている止め金板３は図示していない受金と係合する位置にある。
【００２５】
この施錠状態において子キー１０を前ロータ２Ａのキー孔８Ａと後ロータ２Ｂのキー孔８Ｂに挿入すると、子キー１０によってコードピン１３Ａが押され、ドライバーピン１１Ａがコードピン１３Ａに押されて図１１の上段の▲２▼に示したようにがロック用ピン受孔４Ａ内に後退し、ドライバーピン１１Ａとコードピン１３Ａの接触面が前ロータ２Ａの外周面に移動するため、固定本体１の前方部分１Ａに対する前ロータ２Ａの回転拘束が解除される。
また、子キー１０によってコードピン１３Ｂが押され、ドライバーピン１１Ｂがコードピン１３Ｂに押されて図１２の▲２▼に示したようにロック用ピン受孔４Ｂ内に後退し、ドライバーピン１１Ｂとコードピン１３Ｂの接触面が後ロータ２Ｂの外周面に移動するため、固定本体１の後方部分１Ｂに対する後ロータ２Ｂの回転拘束が解除される。
【００２６】
ここで子キー１０を９０度回転させると、図１１の上段の▲３▼に示したようにコードピン１３Ａの外端面が固定本体１の前方部分１Ａの内周面に当接する一方、図１２の▲３▼に示したようにコードピン１３Ｂの外端面が固定本体１の後方部分１Ｂの内周面に当接するため、子キー１０は前ロータ２Ａ及び後ロータ２Ｂから抜き取れない。この位置では止め金板３は前記受金から離脱し、解錠状態にある。
【００２７】
コード可変型シリンダー錠構成とした前方領域においてコード設定を変更するには、図１１の上段の▲２▼に示したようにチェンジキー９を前ロータ２Ａのキー孔８Ａに挿入する。このチェンジキー９によってコードピン１３Ａが押され、ドライバーピン１１Ａがコードピン１３Ａに押されてロック用ピン受孔４Ａ内に後退し、ドライバーピン１１Ａとコードピン１３Ａの接触面が前ロータ２Ａの外周面に移動するため、固定本体１の前方部分１Ａに対する前ロータ２Ａの回転拘束が解除される。
【００２８】
ここでチェンジキー９を１８０度回転させると、図１１の上段の▲４▼に示したように前ロータ２Ａの共用ピン受孔６Ａが固定本体１のコードチェンジ用ピン受孔５に連通する位置に来ることになり、共用ピン受孔６Ａ内のコードピン１３Ａがコードチェンジ用ピン受孔５内のチェンジピン１２に当接する。
図１１の上段の▲５▼に示したようにチェンジキー９を前ロータ２Ａのキー孔８Ａから抜き取ると、コードチェンジ用ピン受孔５内のドライバーピン１１Ａがバネ７Ａに押されて前ロータ２Ａに向かって移動するため、ドライバーピン１１Ａに押されたチェンジピン１２が前ロータ２Ａの共用ピン受孔６Ａ内に押し込まれる。
【００２９】
この段階でチェンジキー９を前ロータ２Ａのキー孔８Ａから抜き取ると、前方領域のコードはキー加工３番の子キーが使用されるように設定変更されることになる。
そこで、キー加工３番の子キー１０を前ロータ２Ａのキー孔８Ａに挿入し、
その子キー１０を１８０度回転させた後、子キー１０を抜き取ると、図１１の下段の▲１▼に示したようになる。
このコードチェンジの全過程において、後ロータ２Ｂは固定本体１の後方部分１Ｂに対して回転拘束された状態にあるため、止め金板３に外部から回転負荷がかかっても、前ロータ２Ａが偶発的に回転することはない。
以下同様にして、キー加工１番ないしキー加工３番の相互間におけるコードチェンジ操作は▲１▼、▲２▼、▲４▼、▲５▼の手順にしたがってなされ、コードチェンジした後の通常の施解錠操作は▲１▼、▲２▼、▲３▼の手順にしたがってなされる。
【００３０】
【発明の効果】
以上のように請求項１の発明では、ロータを互いに独立した前ロータと後ロータに分割し、前ロータ及び前ロータが収容された固定本体の前方部分をコード可変型シリンダ錠構成とし、後ロータ及び後ロータが収容された固定本体の後方部分をコード不変型シリンダ錠構成とし、後ロータから前ロータへの回転モーメントの伝達を遮断し、後ロータに止め金板などの外部機構への出力部材を連結してあるため、コードチェンジ操作時に後ロータを経由して前ロータに回転負荷が作用して、チェンジ操作の完了前に前ロータがずれ回転することがない。偶発的な回転によって意図しないコードに設定されてしまうことがないので、コードチェンジ操作を最初からやり直すという煩雑さがない。コードチェンジは意図したコードに正確になされるため、チェンジ操作の着実性において優れている。
【００３１】
請求項２の発明では、請求項１の発明の前記効果に加えて、コードチェンジ操作時のロータの回転角度βを通常の施解錠操作時のロータの回転角度αよりも大きく設定し、通常の施解錠操作時にピンが移動するロック用ピン受孔と、コードチェンジ操作時にピンが移動するコードチェンジ用ピン受孔とを、前記回転角度βだけ離して前ロータに対面する固定本体の前方部分に形成し、通常の施解錠操作時およびコードチェンジ操作時にピンが移動する共用ピン受孔を前ロータに形成してあるため、通常の施解錠操作位置とコードチェンジ操作位置を取り違えたり誤信して、誤ったコードチェンジを行なったりすることがなく、通常の施解錠操作時にチェンジピンが置き換えられるなどの操作不具合の問題が発生しない。
【図面の簡単な説明】
【図１】本発明の一実施例に係るコード可変型シリンダ錠装置の正面図であり、施錠状態を示している。
【図２】図１のコード可変型シリンダ錠装置の右側面図である。
【図３】図２のＡ−Ａ線断面図であり、前方領域におけるピン受孔の配置形態を示している。
【図４】図２のＢ−Ｂ線断面図であり、後方領域におけるピン受孔の配置形態を示している。
【図５】図３のＣ−Ｃ線断面図であり、前方領域及び後方領域におけるピン受孔の配置形態を示している。
【図６】図５のＤ−Ｄ線断面図である。
【図７】図１のコード可変型シリンダ錠装置において通常の施解錠操作に使用される子キーの右側面図である。
【図８】図７の子キーにおけるキーコード用凹部の形成態様を示す横断面図である。
【図９】図１のコード可変型シリンダ錠装置においてコードチェンジ操作に使用されるチェンジキーの右側面図である。
【図１０】図９のチェンジキーにおけるキーコード用凹部の形成態様を示す横断面図である。
【図１１】図１のコード可変型シリンダ錠装置の前ロータにおける通常の施解錠操作とコードチェンジ操作の操作手順を示す説明断面図である。
【図１２】図１のコード可変型シリンダ錠装置の後ロータにおける通常の施解錠操作の操作手順を示す説明断面図である。
【符号の説明】
１  固定本体
２  ロータ
２Ａ  前ロータ
２Ｂ  後ロータ
３  出力部材
４Ａ  前ロータのロック用ピン受孔
４Ｂ  後ロータのロックピン用受孔
５  前ロータのチェンジピン用受孔
６Ａ  前ロータの共用ピン受孔
６Ｂ  後ロータのピン受孔
７Ａ  前ロータのピン付勢用バネ
７Ｂ  後ロータのピン付勢用バネ
８Ａ  前ロータのキー孔
８Ｂ  後ロータのキー孔
９  チェンジキー
１０  子キー
【図１】
0003581347.tif 000002
【図２】
0003581347.tif 000003
【図３】
0003581347.tif 000004
【図４】
0003581347.tif 000005
【図５】
0003581347.tif 000006
【図６】
0003581347.tif 000007
【図７】
0003581347.tif 000008
【図８】
0003581347.tif 000009
【図９】
0003581347.tif 000010
【図１０】
0003581347.tif 000011
【図１１】
0003581347.tif 000012
【図１２】
0003581347.tif 000013